(57)【特許請求の範囲】
【請求項１】
前面に誘導レールにより遊技領域を形成し該遊技領域に障害釘および入賞口等を設けた遊技盤と、前記遊技盤の前面に一方側が軸支されて開閉自在に設けられたガラス扉枠と、前記ガラス扉枠の裏面に設けられ該ガラス扉枠の左右側辺部及び下側辺部を囲うようにコ字形に形成された保持枠部材と、前記保持枠部材に前記遊技領域を視認できるよう所定間隔を離して設けられる内外２枚の透明板とを備えたパチンコ遊技機において、
前記遊技領域に位置して前記ガラス扉枠の透明板間に電気的表示装置を設け、
前記電気的表示装置は、枠部材を介して設けられる表示部と、該枠部材の側方に連設するように設けられる断面コ字状の飾り部材と、該表示部から保持枠部材の軸支側に引き出された配線と、該配線の先端部に設けられた配線コネクタとからなり、
前記飾り部材は、保持枠部材の軸支側の端部位置に前記配線コネクタが臨む開口が開設されていることを特徴とするパチンコ遊技機。
【発明の詳細な説明】
【０００１】
【発明の属する技術分野】
本発明は、パチンコ遊技機に関するものであり、特に電気的表示装置を備えたパチンコ遊技機に関するものである。
【０００２】
【従来の技術】
従来のパチンコ遊技機は、遊技盤上に始動入賞口，電気的表示装置，大入賞口等を配設し、始動入賞口に遊技球が入賞すると電気的表示装置の図柄を変動させると共に、その停止時の表示によって特定遊技状態となり、大入賞口を開放して一気に多量の景品球を獲得するようにしたものが主流となっている。
【０００３】
また、従来のパチンコ遊技機は電気的表示装置の大きさ等に変化があるものの上記形態に目新しさがなく、遊技興趣の低下が問題となっていた。そこで、目新しいものとして遊技領域外に表示装置を設けた遊技機が開示されている（例えば、特許文献１参照。）。
【０００４】
【特許文献１】
実公昭５６−５２９４６号公報
【０００５】
【発明が解決しようとする課題】
しかしながら、遊技領域外に表示装置を設けた遊技機においては、電気的表示装置が遊技領域外にあるため打球をみる視点と電気的表示装置の表示をみる視点とが異なり、そのため遊技状態または変動表示を見逃し、打球と表示装置の表示との関連がわからず遊技状態が把握できない問題がある。
【０００６】
一方、従来の遊技機は、電気的表示装置を遊技盤に開設した取着穴に設けることから電気的表示装置が遊技盤面より後方に位置するために画像に迫力に欠けるものとなり、装置を大型化する等試みられたが遊技球が遊動する遊技領域が狭く目新しさはあるものの同時に遊技球の動きを楽しむパチンコ遊技機本来の楽しさを満たすことはできなかった。
【０００７】
また、従来のパチンコ遊技機は、電気的表示装置が遊技盤に直接取着されており、遊技盤のみの交換により機種変更する際には遊技盤と共に可変表示装置も処分され無駄が多かった。
【０００８】
さらに、電気的表示装置を取着するために遊技盤に取着穴を開設するため、その取着穴を切削機により穿設するのに時間がかかると共に切屑処理や粉塵問題も大きな課題としてあった。
【０００９】
そこで本発明は、上記課題を解決し電気的表示装置をガラス扉枠の透明板間に設けて遊技盤の有効利用を図ると共に、ゲーム内容を楽しめる斬新なパチンコ遊技機を提供することを目的としている。
【００１０】
【課題を解決するための手段】
上記目的を達成するために、請求項１記載の発明は、前面に誘導レールにより遊技領域を形成し、該遊技領域に障害釘および入賞口等を設けた遊技盤と、該遊技盤の前面を覆い前記遊技領域を視認可能とする複数の透明板を設けたガラス扉枠とを備えたパチンコ遊技機において、前記遊技領域に位置して前記ガラス扉枠の透明板間に電気的表示装置を設けたことを特徴とする。ここでいう「透明板」は、ガラス板及び合成樹脂により成形される透明板を含む。
【００１１】
請求項２記載の発明は、請求項１記載の発明において、前記電気的表示装置を飾り部材を介して装着したことを特徴とする。これにより電気的表示装置の装着を容易にする。
【００１２】
請求項３記載の発明は、請求項２記載の発明において、前記電気的表示装置の配線を前記飾り部材裏面に配線したことを特徴とし、配線を隠して見栄えのよいパチンコ遊技機にすることができる。
【００１３】
請求項４記載の発明は、請求項１ないし３のいずれかに記載の発明において、前記電気的表示装置と照明手段を連接して設けたことを特徴とし、透明板により光を有効的に拡散することができる。前記照明手段は内部にランプおよびＬＥＤ等の照明具を内装したサイドランプ，コーナーレンズ、さらにはトップレンズである。
【００１４】
請求項５記載の発明は、請求項１ないし４のいずれかに記載の発明において、前記電気的表示装置の裏面側に位置する遊技領域にワープ入口を形成すると共に、視認可能な遊技領域に前記ワープ入口と遊技盤の裏面側で連通するワープ出口を形成したことを特徴とする。
【００１５】
請求項６記載の発明は、請求項１ないし５のいずれかに記載の発明において、前記電気的表示装置を複数設けたことを特徴とする。そして、該複数の電気的表示装置の表示を関連付けて表示するのが好ましく、遊技の興趣を高めることができる。
【００１６】
請求項７記載の発明は、請求項１ないし６のいずれかに記載の発明において、前記電気的表示装置は、所定入賞口に遊技球が入賞したのを条件に表示を変動し、所定時間後に停止した表示により通常遊技または特別遊技となることを特徴とする。
【００１７】
また、電気的表示装置の配線をガラス扉枠の軸支側に導くようにするのが好ましく、電気的表示装置をガラス扉枠の開閉に支障なく設けることができる。
【００１８】
なお、前記電気的表示装置は必ずしも信号用配線を設けることなく、光通信により電気的表示装置を制御してデータ転送を行うようにしてもよく、例えば遊技盤側に送信用光伝搬装置を設け、該送信用光伝搬装置と対向位置する電気的表示装置側に受信用光伝搬装置を設ければよい。また、送信用光伝搬装置を透明板の保持枠部材に設けるようにして、透明板１５，１５間で光通信を行うようにしてもよい。なお、電源に関しても配線により供給することなく、前記送受信用光伝搬装置の双方にコイルを設け、電磁波等により供給してもよい。
【００１９】
また、前記ガラス扉枠は遊技盤の遊技領域が視認可能な方形状の開口が形成される金属製枠部と、該金属製枠部の表面側に装着される合成樹脂製の飾り枠とから構成され、前記金属製枠部の裏面には、上辺部を除く左右側辺部及び下側辺部を囲うようにコ字形に形成された透明板を支持する保持枠部材が設けられる。そして、該保持枠部材の溝部に遊技盤を透視し得る内、外２枚のガラス板等の透明板が所定間隔を離して挿入嵌合されて保持される。前記２枚の透明板は予め縁枠部材等によって額縁状に囲い、この２層透明板体を保持枠部材の溝部に挿入するのが好ましく、該２層透明板体の透明板間に予め電気的表示装置を装着することでユニット化でき装着作業性および保管が容易となる利点を有する。
【００２０】
また、前記保持枠部材を合成樹脂により成形すると共に、前記電気的表示装置を装着する飾り部材を一体に形成するのが好ましい。
【００２１】
さらに、前記透明板のいずれか一方を合成樹脂により成形すると共に、前記電気的表示装置の枠部材を一体に形成するのが好ましい。
【００２２】
また、前記透明板に照明効果を高めるために、カッティングまたはシボを施したり光拡散シールを貼着したりするのが好ましい。
【００２３】
【発明の実施の形態】
次に、図面を参照して、本発明の一実施の形態について説明する。図１はパチンコ遊技機の正面図、図２はガラス扉枠を開いて示すパチンコ遊技機の正面図である。図において、パチンコ遊技機１は、縦長方形状に枠組みされる外枠２の前面に前面枠３が上下のヒンジ金具４，４により開閉自在に装着されている。該前面枠３には遊技盤取付枠を介して遊技盤６が着脱自在に装着されている。また、前面枠３の前面上方部分には遊技盤６が臨むガラス扉枠７が軸受片８，８によって開閉自在に軸着されており、その下方部分に上部球受皿９が開閉可能に設けられている。また、上部球受皿９の下方には下部球受皿１１が設けられ、その側方に打球発射用の操作ハンドル１２が配設されている。１３は、前面枠３およびガラス扉枠７の施錠機構のシリンダー錠である。
【００２４】
前記ガラス扉枠７は、前面枠３の上半部分を全幅にわたって覆う大きさに形成され、その中央部に遊技盤６の遊技領域６ａが視認可能な方形状の開口が形成される金属製枠部７ａと、該金属製枠部７ａの表面側に装着される合成樹脂製の飾り枠７ｂとから構成されている。前記金属製枠部７ａの裏面には、上辺部を除く左右側辺部及び下側辺部を囲うようにコ字形に形成された保持枠部材７ｃが一体的に設けられており、該保持枠部材７ｃの溝部１０に遊技盤６を透視し得る内、外２枚のガラス板等の透明板１５，１５が所定間隔を離して上方より挿入嵌合されて保持されている。また、飾り枠７ｂにはランプおよびＬＥＤ等の照明具を内装した照明手段としてのトップランプ１６が設けられている。ここでいう「透明板」は、ガラス板及び合成樹脂により成形される透明板を含む。
【００２５】
前記遊技盤６の表面には、図２に示すように誘導レール１８で囲まれる遊技領域６ａ内に左右通過ゲート１７および一般入賞口１９や大入賞口２０、チューリップ式の始動入賞口２１等の各種役物が配設され、さらに風車２２や障害釘２３およびサイドランプ２４等が設けられ、遊技領域６ａの最下端にアウト球口２５が形成されている。前記大入賞口２０は、基板２６の開口２６ａを開閉する扉板２７をソレノイド等により開閉する公知的な入賞装置である。また、遊技領域６ａ外の上方にはコーナーレンズ２８が設けられている。
【００２６】
しかして、ガラス扉枠７の透明板１５，１５間であり遊技盤６の遊技領域６ａのほぼ中央に位置して電気的表示装置としての可変表示装置２９が設けられる。該可変表示装置２９は、図３に示すように枠部材３０の中央に図柄文字等を表示する液晶の表示部２９ａを有し、該表示部２９ａは始動入賞口２１に遊技球が入賞したのを条件に表示を変動し、所定時間後に停止した表示により通常遊技または前記大入賞口２０の扉板２７を開閉する特別遊技となる。枠部材３０の側方に連設するように表面に前記遊技盤６の図柄および色合いに関連付けて立体感を持たせるように図柄を施した断面コ字状の飾り部材３１，３１が設けられ、その端部に取着部３２が形成され、前記保持枠部材７ｃの軸支側には可変表示装置２９の配線コネクタ３３が臨む開口３４が開設される。３８は普通図柄表示部であり、前記左右通過ゲート１７を遊技球が通過することにより普通図柄が変動し「７」等の特定図柄により前記始動入賞口２１を可動して入賞しやすくする。３９は前記始動入賞口２１に入賞した保留球表示部である。また、前記枠状に形成した飾り部材３１，３１内に透明板１５，１５が曇らないように除湿材，乾燥剤等を装填するのが好ましい。なお、電気的表示装置として液晶表示としたがＬＥＤを多数配列して該ＬＥＤの発光により図柄文字等を表示する電気的表示装置としてもよい。
【００２７】
また、電気的表示装置の厚さに応じて透明板１５，１５間の間隔を変更するのが好ましく、保持枠部材７ｃを例えば透明板１５，１５を前後二部材でそれぞれ保持するように構成し、該前後部材の間にスペーサ等を介在させることで透明板１５，１５間の間隔を変更するようにすればよい。また、一方の透明板を傾斜状に設けるようにしてもよい。前面側の透明板１５を前傾状に設けることで可変表示装置２９の枠部材３０上部に庇部が形成され、奥行きができ表示部２９ａの視認性が優れたものとなる。
【００２８】
また、透明板１５，１５間の間隔を広くすることで、磁石等による不正を防止することができる。しかも、可変表示装置２９自体を可動させるモータ，ソレノイド等の電気的駆動源を配設することも可能となり、さらに可変表示装置２９の表示を部分的または全体的に拡大するレンズ部を形成することもできる。また、サイドランプ２４等をより立体的な形状とすることができ、それに伴いＬＥＤ等の光源を立体的に発光させることで、例えば光が前方に向ってくるように感じさせることができる。
【００２９】
前記可変表示装置２９の枠部材３０には透明板１５，１５間で可変表示装置２９ががたつかないようにするために弾性付与した緩衝部材３５が設けられている。また、可変表示装置２９の配線Ｈは図４に示すように飾り部材３１の裏面に配線して遊技者から視認されないようにしている。なお、飾り部材３１は帯状またはリブ状としてもよく、さらに透光性を有するようにして遊技領域６ａを視認できるようにしてもよい。
【００３０】
前記飾り部材３１を透光性樹脂により形成し、配線Ｈを同一色または多色として模様化してもよく、従来はパチンコ球の流下に支障をきたすために遊技盤６面上に直接配線できないことから、本発明を採用することにより従来成し得ないデザインとすることができる。
【００３１】
上記構成の可変表示装置２９の取付けは、図４に示すように透明板１５，１５間の保持枠部材７ｃの溝部１０に前面側の透明板１５を１枚装着し、可変表示装置２９の取付板３２を保持枠部材７ｃに圧接するようにはめ込みビス着３６し、配線コネクタ３３を開口３４から臨ませ固定する。そして２枚目の透明板１５を保持枠部材７ｃのもう一方の溝部１０にはめ込むことにより可変表示装置２９は前記緩衝部材３５により透明板１５，１５間の前後方向にがたつきなく装着され、これにより溝部１０内の透明板１５，１５がずれたりがたついたりすることもない。また、可変表示装置２９の取付け手段は、上記実施の形態のビス着３６に限定されることなく弾性片等による圧着および吸盤等による吸着等が考えられる。このとき、可変表示装置２９の取付けの位置を確定する突起等の位置決め手段を設けるのが好ましい。また、保持枠部材７ｃに溝部１０を形成して透明板１５を保持するようにしたが、図５に示すように保持枠部材７ｃをコ字状の枠部材として飾り部材３１により溝部１０を構成するようにしてもよい。このように形成することで異なる種類の可変表示装置２９の表示部２９ａに対応でき、表示部２９ａによっては奥行きのある可変表示装置２９とすることができる。また、コ字状に形成した保持枠部材７ｃを予め幅広に形成するようにしてもよい。
【００３２】
上記のようにガラス扉枠７に設けられた可変表示装置２９の配線Ｈは、前記コネクタ３３を介して保持枠部材７ｃの外側溝部に沿って途中配線処理具で処理しながら配線され遊技盤６裏面側に導出され、所定基板３７に接続される。配線Ｈをガラス扉枠７の軸支側とすることでガラス扉枠７の開閉も支障なく行うことができる。
【００３３】
次に、このように構成されるパチンコ遊技機１の動作の一例を説明する。まず遊技者が操作ハンドル１２を操作して遊技領域６ａにパチンコ球を打ち込み、可変表示装置２９の裏面側を遊技球が通過すると一瞬視界からなくなり、可変表示装置２９の裏面側に配設した風車２２や障害釘２３により思いがけないところから再び視覚に入り遊技の意外性を楽しむことができる。そして、一般入賞口１９および始動入賞口２１に入賞しなかったパチンコ球はアウト球としてアウト球口２５から排出される。また、始動入賞口２１にパチンコ球が入賞すると可変表示装置２９の表示部２９ａの表示が変動し、「７・７・７」等の特定の表示により大入賞口２０の扉板２７が所定回数開閉する特別遊技状態になる。
【００３４】
このように可変表示装置２９をガラス扉枠７の透明板１５，１５間に設けることで、遊技盤６に可変表示装置２９の取着用開口を開設する必要がなく遊技領域６ａを有効に活用することができ、しかも従来より表示部２９ａが前面に位置するため迫力ある画像とすることができる。また、パチンコ球の衝突によって可変表示装置２９が破損することがなく、遊技盤６のみの交換による機種変更においてもガラス扉枠７に設けた可変表示装置２９をそのまま利用することができ経済効果の高いものとなる。さらに、可変表示装置２９の後面をパチンコ球が通過することによりパチンコ球の動きに予想がつかず遊技内容に変化ができ興趣を高めることができる。
【００３５】
図６および図７は、飾り部材３１を介して照明手段としてのサイドランプ２４が一体に設けられる実施の形態を示している。このように照明手段としてのサイドランプ２４をガラス扉枠７の透明板１５，１５間に設けることで、前記実施の形態と同様の効果を生ずると共に透明板１５により光が拡散して照明効果を高めることができ、遊技盤面部品に関係なく設けることができる。また、図８に示すように遊技盤６に設けたサイドランプ２４の上面に位置してレンズ部材を設けてもよく、透明板１５を介して立体的となりレンズの色変えも容易となる。このとき遊技盤６に設けたサイドランプ２４のレンズの替わりに障害釘２３を所定間隔に植設し、該障害釘２３の隙間からランプ等の光を遊技盤面に照射するようにしても一風変わった照明とすることができる。さらに、照明手段としてコーナーレンズ２８を飾り部材３１と一体に設けてもよく、ガラス扉枠７の開口を上方に拡大して照明手段としてのトップランプ１６を一体に設けるようにしてもよい。また、照明手段（保留球表示部を含む）の光をより有効的とするために、透明板１５にカッティングまたはシボを施したり光拡散シールを貼着したりするのが好ましい。例えば図１２に示すように可変表示装置２９の周囲に放射状に筋条のカッティングＣを施し可変表示装置２９の枠部材３０周縁にＬＥＤを設けた状態でＬＥＤを発光させると該ＬＥＤの光がカッティングＣにより筋条に拡散し幻想的な効果を生じ、可変表示装置２９のリーチや大当り状態にあわせて該ＬＥＤ発光させると効果的な演出ができる。また、透明板１５にカッティングまたはシボを施すことにより従来行えなかった風車２２や入賞口の上面に光を走行させ視認させることができる。
【００３６】
本来遊技領域外に設けられるコーナーレンズ２８を透明板１５，１５間に設けることで、誘導レール１８に遮られていたコーナーレンズ２８の光を遊技盤面に向けて照射することができる。このとき誘導レール１８に沿って透明板１５にカッティングまたはシボを施すことでより光を幻想的にすることができ、誘導レール１８に沿って走行するパチンコ球をぼやかしてみせることができる。なお、コーナーレンズ２８を透明板１５，１５間に設けることで誘導レール１８に沿って遊技領域の周囲を囲うように設けることも可能となる。なお、照明手段を飾り部材３１を介して電気的表示装置と一体に設けるようにしたが、照明手段を電気的表示装置と別途単独でガラス扉枠７の透明板１５，１５間に設けるようにしてもよい。
【００３７】
前記照明手段は、ネオン管であってもよく、遊技に支障のない程度に螺旋状等自由に折曲加工して配設することができる。
【００３８】
また、前記飾り部材３１の表面にＬＥＤ等の発光体を設け、遊技内容により点灯・点滅するようにしても、飾り部材３１を透光性を有する合成樹脂により形成し、飾り部材３１の枠内にランプ等の光源を設けるようにしてもよい。このとき立設した内側壁に光を反射するメッキを施したりシールを貼着したり、凹凸を設けて光を乱反射させるのが好ましい。さらに飾り部材３１に表示部を設け、前記可変表示装置２９の表示に連動して前記表示部に表示するようにしてもよく、遊技の興趣を高めることができる。
【００３９】
図９は、ＣＲ機としてのガラス扉枠を示し、可変表示装置２９の下方に延設した飾り部材３１にさらにカード残高等の表示部４０を設けている。一方、球貸しおよびカード返却操作部４１，４２はガラス扉枠７の飾り枠７ｂに設けている。このように、ガラス扉枠７の透明板１５，１５間にカード残高等の表示部４０を設けることで、該表示部４０が透明板１５により保護され悪戯等により破損させられることがない。また、遊技中において位置的にも遊技者の視野内にあり、球貸し時に遊技盤６面から目を移動させることなく操作することができ、遊技を中断したり遊技内容を見逃したりすることなく遊技を満喫することができる。
【００４０】
図１０は、可変表示装置２９または飾り部材３１の裏面側に位置する遊技領域６ａにワープ入口４３を設けた実施の形態を示す。この実施の形態において、可変表示装置２９の裏面側にワープ入口４３を設けると共に、可変表示装置２９の裏面以外の視認可能な遊技領域６ａに遊技盤６の裏面側でワープ通路４５を介して前記ワープ入口４３と連通するワープ出口４４を形成している。そして、本実施の形態において該ワープ出口４４の下方に位置して始動入賞口２１を設けている。このように可変表示装置２９の裏面側にワープ入口４３を設けることで、遊技領域６ａに打ち出され可変表示装置２９の裏面を通過するパチンコ球は、そのまま障害釘２３および風車２２により方向性を変え遊技者に視認可能な遊技盤６面に現れるか、ワープ入口４３に入球して遊技盤６裏面のワープ通路４５を通ってワープ出口４４から再度遊技盤６前面に流出し、始動入賞口２１に入賞したり外れてアウト球口２５から機外に流出する。このことから可変表示装置２９の裏面を通過するパチンコ球の行方に意外性が増すことになり遊技者にとって興趣の高いものとなる。なお、ワープ入口４３を複数設けても何等問題となることはなく、より興趣の高いものとすることができる。また、可変表示装置２９の裏面側に位置する遊技領域６ａに入賞口を設けてもよく、視認できない状態で入賞口に入賞して賞球が払出されると遊技者に何か得をした気分を与えることができる。
【００４１】
また、逆に図１１に示すように飾り部材３１の裏面側遊技領域６ａ部位に通過ゲート１７，一般入賞口１９等を設けて、該通過ゲート１７，一般入賞口１９の入口に対応位置する飾り部材３１の個所を切欠く５１等して、通過ゲート１７，一般入賞口１９と飾り部材３１とをデザイン的に一体に見せて、ゲート１７，一般入賞口１９の存在をはっきりさせるようにしてもよい。また、飾り部材３１に前記通過ゲート１７，一般入賞口１９の該当部分を示す表示手段を設けるようにしてもよい。前記表示手段は、飾り部材３１の該当個所にシールを貼着したり、ランプ，ＬＥＤ５０等で位置を示すようにしたりすればよく、ランプ，ＬＥＤ５０により表示した場合でも飾り部材３１が透明板１５間に在ることから配線を気にすることなく設けることができる。さらに、前記普通図柄表示部３８および保留球表示部３９等の遊技関連部品を飾り部材３１に設けることで、飾り部材３１が遊技者に与える遊技盤６面を仕切るだけの印象を払拭させ、遊技に関連した意味のあるものとして認識させることができる。
【００４２】
また、前記保持枠部材７ｃと飾り部材３１を一体に形成してもよく、好ましくは保持枠部材７ｃを合成樹脂製として可変表示装置２９の枠部材３０および飾り部材３１を一体に形成するのがよく、成型コストが低減できると共に可変表示装置２９の装着が容易となる。さらに、透明板１５の少なくともいずれか一方を合成樹脂製とし、可変表示装置２９の枠部材３０を一体に形成するようにしてもよい。このとき配線Ｈをプリント配線として、該プリント配線が恰もデザインであるかのように視認できるようにしてもよい。
【００４３】
また、図１２に示すようにガラス扉枠７の飾り枠７ｂまたは保持枠部材７ｃと一体的に遊技領域６ａに臨んで前記可変表示装置２９および飾り部材３１の周縁に沿うように飾りリブ４８を設けるようにして、可変表示装置２９を立体的に感じさせるようにしてもよい。また、図１３に示すようにガラス扉枠７の開口窓周縁をレンズ部材５０として該レンズ部材５０と一体的に飾り部材３１を設けてもよい。さらにガラス扉枠７の透明板１５，１５間に設けられる飾り部材３１およびサイドランプ２４及びコーナーレンズ２８のレンズ部材，または前記飾りリブ４８のデザインとガラス扉枠７の表面に位置する合成樹脂製の飾り枠７ｂのデザインとを関連付けるようにしてもよく、質感のある斬新なデザインとすることができる。なお、実施の形態においてガラス扉枠７を前面枠３のほぼ前面を覆うようにしたが、ガラス扉枠７の周縁に前面枠３が視認できるパチンコ遊技機においては該前面枠３の表面とデザイン的に関連性を持たせるようにすればよい。
【００４４】
また、前記コーナーレンズ２８を遊技盤６に設け、サイドランプ２４を透明板１５，１５間に設け、さらにレンズ部材５０が飾り枠７ｂに設けることで、レンズの高さ位置が異なり立体感を感じさせるデザインとすることができる。
【００４５】
なお、上記実施の形態において電気的表示装置（可変表示装置２９）の裏面側に位置する遊技領域６ａを遊技球が通過可能としたが、必ずしも電気的表示装置（可変表示装置２９）の裏面側を通過可能とする必要はなく、遊技盤６に電気的表示装置とほぼ同形の障壁を別途設けるようにして通過不能としてもよい。このようにしても電気的表示装置をガラス扉枠７に設ける効果として電気的表示装置の再利用や遊技盤６の取付穴の穿設による問題等を解決することができる。
【００４６】
図１４は前記可変表示装置２９を複数設けるようにした実施の形態を示し、図上可変表示装置２９を遊技領域６ａの中央に１個と下方に２個の計３個配設している。この実施の形態において中央の可変表示装置２９の裏面側はパチンコ球が通過可能とし、下方の２個の可変表示装置２９１，２９２裏面側は障壁により通過不能としている。そして、大入賞口２０の下方に位置する遊技領域６ａであり入賞可能領域ではない下方の可変表示装置２９１，２９２間全体をアウト球口２５として大きく形成し、アウト球が詰まることなくアウト球の排出を速くしている。例えば常には中央の可変表示装置２９で遊技内容に関するキャラクタが動いており、始動入賞口２１の入賞により下方の２個の可変表示装置２９１，２９２で図柄・数字を変動させる。そして、下方の２個の可変表示装置２９１，２９２で図柄・数字が揃いリーチ状態になると中央の可変表示装置２９で図柄・数字が変動し当たり外れを決定する。あるいは、最初に中央の可変表示装置２９で図柄・数字が変動しリーチ状態になるとそのリーチ図柄・数字が下方の２個の可変表示装置２９１，２９２に移動し、中央の可変表示装置２９で当たりおよび外れ図柄・数字を拡大して表示する等複数の可変表示装置２９，２９１，２９２をガラス扉枠７に設けることにより遊技領域６ａを有効に利用しつつバリエーションある遊技を楽しむことができる。また、前記アウト球口２５を大きくすることで該アウト球口２５の後方が丸見えとなるためガラス扉枠７の透明板１５，１５間に該アウト球口２５を隠蔽する飾り部材３１を設けるようにしてもよい。なお、遊技内容としては可変表示装置２９，２９１，２９２すべてが透明板１５，１５間に在る必要はなく、遊技盤６面に在ってもよい。
【００４７】
例えば、図１に示した可変表示装置２９の後側に位置する遊技盤６に、該可変表示装置２９の外側に表示部が視認可能となるように可変表示装置を設け、該可変表示装置と透明板１５，１５間の可変表示装置２９の表示部２９ａを関連させて、縦，横，斜め，Ｖ字状等の整列でリーチまたは大当りとしてもよい。また、遊技盤６の可変表示装置は、背景またはリーチ予告等を映し出す液晶表示としてもよい。
【００４８】
また、他の電気的表示装置として、環状または直線的に複数の数字表示を並列し、該数字表示の後面にＬＥＤ等の光源を配設して、遊技盤６に設けたセンサでパチンコ球を検知したことを条件に、前記ＬＥＤ等の光源をランダムに点灯させ、その停止時に点灯される表示数字により出球またはチューリップ等の開閉回数が変動するようにしてもよい。
【００４９】
上記実施の形態において、電気的表示装置をはじめとして、これまで記した他にも遊技盤６面を遊動する遊技球に直接関係しない電気部品をガラス扉枠７の透明板１５，１５間に収めるのが好ましく、配線処理も一括して行うことができ、リサイクルも容易となる。また、通過ゲート１７，一般入賞口１９および始動入賞口２１の前面に位置して透明板１５，１５間に同形状の照明具を設けることで、従来光らせることができなかった通過ゲート１７，一般入賞口１９および始動入賞口２１の前面を光らせることができる。そして、今までにない斬新なパチンコ遊技機と提供することができる。
【００５０】
また、ガラス扉枠７は上記実施の形態に限定されるものではなく、ガラス扉枠本体に対して透明板または透明板が保持される保持枠部材７ｃが開閉自在に設けられるもの、また透明板の装着の容易性等を考慮して、予め２枚の透明板を縁枠部材等によって額縁状に囲い、この２層透明板体を保持枠部材の溝部に挿入するものであってもよい。この２層透明板体においては電気的表示装置（可変表示装置）を予め２枚の透明板間に装着することでユニット化でき装着作業性および保管が容易となる。
【００５１】
なお、前記透明板１５を単体で開閉自在とすることで、電気的表示装置２９の装着及び透明板１５，１５間の掃除を容易にすることができる。
【００５２】
また、実施の形態においてガラス扉枠７を前面枠３に対して単独で開閉するようにしたが、上部球受皿９と一体的に開閉するパチンコ遊技機であってもよく、さらには下部球受皿１１も一体的に開閉するようにしてもよい。
【００５３】
また、ガラス扉枠７を上部球受皿９と一体的に開閉するようにした際には、上部球受皿９の裏面側に発射装置および発射レール等の発射関連機構を設けて、上部球受皿９と共に開閉するようにし、前記保持枠部材７ｃにパチンコ球の導入口を開設して前記発射レールの終端を該導入口に合致させ、前記発射レールの発射位置から発射されたパチンコ球を前記導入口から透明板１５，１５間に打ち込み、内透明板１５に開設する透孔から遊技盤６面に放出するようにしてもよい。このように透明板１５，１５間にパチンコ球を遊動させることで、立体感のある遊技を行うことができる。また、透明板１５，１５間にＬＥＤ等の光源を備えたガイド部材を配設し、透明板１５，１５間への入球をセンサで検知して、前記ガイド部材に沿って流動するパチンコ球にあわせて前記ＬＥＤ等の光源を順次点灯させ、パチンコ球の流れを光により示すことも可能である。なお、パチンコ球の導入口を保持枠部材７ｃに形成することなく、直接内透明板１５に開設するようにしてもよい。
【００５４】
なお、前記電気的表示装置は必ずしも信号用配線を設けることなく、光通信により電気的表示装置を制御してデータ転送を行うようにしてもよく、例えば遊技盤６側に送信用光伝搬装置を設け、該送信用光伝搬装置と対向位置する電気的表示装置側に受信用光伝搬装置を設ければよい。また、送信用光伝搬装置を透明板１５の保持枠部材７ｃに設けるようにして、透明板１５，１５間で光通信を行うようにしてもよい。なお、電源に関しても配線Ｈにより供給することなく、前記送受信用光伝搬装置の双方にコイルを設け、電磁波等により供給するようにしてもよい。このように配線をなくすことで、煩わしい配線作業をなくすことができ、さらに遊技盤６面を遮るものがないことから遊技領域を有意義に使用することができる。
【００５５】
【発明の効果】
以上、説明したところから明らかなように、本発明においては、電気的表示装置をガラス扉枠の透明板間に設けることにより、遊技盤に電気的表示装置用の開口を設けることなく遊技領域を有効に使うことができると共に、遊技領域から視線を逸らすことなく興趣のある遊技を楽しむことができる。
【００５６】
また、遊技盤のみの交換による機種変更に際してもそのまま電気的表示装置が使用でき、優れた経済効果を発揮する。
【図面の簡単な説明】
【図１】パチンコ遊技機の正面図である。
【図２】ガラス扉枠を開放して示すパチンコ遊技機の正面図である。
【図３】電気的表示装置の分解斜視図である。
【図４】パチンコ遊技機の平断面図である。
【図５】ガラス扉枠の要部平断面図である。
【図６】他の実施の形態の遊技盤の正面図である。
【図７】図６の要部平断面図である。
【図８】図７の他の実施の形態の要部平断面図である。
【図９】さらに他の実施の形態の遊技盤の正面図である。
【図１０】パチンコ遊技機の要部側断面図である。
【図１１】他の実施の形態の遊技盤の正面図である。
【図１２】パチンコ遊技機の平断面図である。
【図１３】ガラス扉枠のデザインに関連性を持たせた実施の形態の正面図である。
【図１４】電気的表示装置を複数設けた実施の形態の正面図である。
【符号の説明】
１                        パチンコ遊技機
６                        遊技盤
６ａ                      遊技領域
７                        ガラス扉枠
７ａ                      金属製枠部
７ｃ                      保持枠部材
１５，１５                透明板
１６                      トップランプ（照明手段）
１８                      誘導レール
１９                      一般入賞口
２０                      大入賞口
２１                      始動入賞口
２２                      風車
２３                      障害釘
２４                      サイドランプ（照明手段）
２５                      アウト球口
２８                      コーナーレンズ（照明手段）
２９                      可変表示装置（電気的表示装置）
２９１，２９２            可変表示装置（電気的表示装置）
３１                      飾り部材
４３                      ワープ入口
４４                      ワープ出口
Ｈ                        配線
【図１】
0004157742.tif 000002
【図２】
0004157742.tif 000003
【図３】
0004157742.tif 000004
【図４】
0004157742.tif 000005
【図５】
0004157742.tif 000006
【図６】
0004157742.tif 000007
【図７】
0004157742.tif 000008
【図８】
0004157742.tif 000009
【図９】
0004157742.tif 000010
【図１０】
0004157742.tif 000011
【図１１】
0004157742.tif 000012
【図１２】
0004157742.tif 000013
【図１３】
0004157742.tif 000014
【図１４】
0004157742.tif 000015